(57)【特許請求の範囲】
【請求項１】
画像表示装置との通信が可能な撮像装置であって、
撮影画像を表示する表示手段と、
前記撮影画像の表示する領域を設定する領域設定手段と、
前記撮影画像を、前記領域設定手段で設定された領域に変倍する変倍手段と、
前記画像表示装置に対して前記撮影画像と前記領域の情報を送信する送信手段と、
前記画像表示装置と通信状態にあるか否かを判別する通信状態判別手段と、
前記表示手段に表示させる画像を制御する表示制御手段と、を有し、
前記通信状態判別手段が前記画像表示装置と通信状態にあると判別した場合、前記表示制御手段は前記表示手段に前記撮影画像の全体と前記設定された領域を表示させ、前記送信手段は前記撮影画像と前記領域の情報を送信し、
前記通信状態判別手段が前記画像表示装置と通信状態にないと判別した場合、前記表示制御手段は、前記表示手段に前記変倍手段で変倍された前記撮影画像を表示させることを特徴とする撮像装置。
【請求項２】
前記画像表示装置で表示される画像サイズまたは画像位置が変更可能であることを特徴とする請求項１に記載の撮像装置。
【請求項３】
請求項１または２に記載の撮像装置と、前記画像表示装置と、を有することを特徴とする画像表示システム。
【発明の詳細な説明】
【技術分野】
【０００１】
本発明は、画像提示手段を備える撮像装置、および撮像装置と通信可能な画像表示装置を結合した画像表示システムに関する。
【背景技術】
【０００２】
画像提示手段としてのモニタを備えた一般的な撮像装置、例えばデジタルカメラでは、デジタルズームで画像拡大操作を行うとき、拡大された画像が画像提示手段に表示される。図１０は、従来のデジタルカメラにおけるデジタルズーム時の画面表示例である。１００はデジタルカメラが備える画像提示手段としての表示画面であり、画像を表示する。画像提示手段として、オンスクリーンディスプレイ（ＯＳＤ）を画像に重畳して表示できる表示画面も広く知られている。
【０００３】
図１０Ａは、デジタルカメラにおける画像表示時の画面の例を表している。デジタルズームで画像拡大操作を行うと、図１０Ｂのように、元画像（最大画角における全体画像）の内の一部画像範囲が拡大して表示される。このとき、全体画像範囲に対する一部拡大画像範囲を示すために、１０１のようなガイド画面を表示する構成とする場合がある。このガイド画面により、表示されている拡大画像はガイド画面の領域で情報が欠落される。
【０００４】
また、上記従来技術とは別に、特許文献１では、画像提示手段としての液晶モニタを備えたデジタルカメラが開示される。具体的には、モニタに、電子ズームで画像を拡大表示する際に、ズーム無し時の全体画像範囲に対して一部拡大範囲を拡大範囲情報（領域枠の枠線、領域枠の四隅など）として、拡大画像に重畳して表示させることが開示される。
また、特許文献２では、モニタに全体画像と拡大記録領域を示す情報を表示することが開示される。
【先行技術文献】
【特許文献】
【０００５】
【特許文献１】特開２００４−０７２２０７号公報
【特許文献２】特開２００７−３３６５１５号公報
【発明の概要】
【発明が解決しようとする課題】
【０００６】
しかしながら、上述のように、ガイド画面を表示画像に重畳して表示すると、本来視認したい画像の表示の妨げとなってしまう場合がある。また、特許文献１では、全体画像範囲に対して一部拡大範囲が表示されるが、全体画像に対して一部拡大画像を直接的に認識することが困難である。
【０００７】
そこで、本発明の目的は、全体画像に対して画像表示装置で表示される一部の領域画像を、直接的に視認性を維持しながら認識することができる撮像装置および画像表示システムを提供することにある。
【課題を解決するための手段】
【０００８】
上記目的を達成するために、本発明に係る撮像装置は、画像表示装置との通信が可能な撮像装置であって、撮影画像を表示する表示手段と、前記撮影画像の表示する領域を設定する領域設定手段と、前記撮影画像を、前記領域設定手段で設定された領域に変倍する変倍手段と、前記画像表示装置に対して前記撮影画像と前記領域の情報を送信する送信手段と、前記画像表示装置と通信状態にあるか否かを判別する通信状態判別手段と、前記表示手段に表示させる画像を制御する表示制御手段と、を有し、前記通信状態判別手段が前記画像表示装置と通信状態にあると判別した場合、前記表示制御手段は前記表示手段に前記撮影画像の全体と前記設定された領域を表示させ、前記送信手段は前記撮影画像と前記領域の情報を送信し、前記通信状態判別手段が前記画像表示装置と通信状態にないと判別した場合、前記表示制御手段は、前記表示手段に前記変倍手段で変倍された前記撮影画像を表示させることを特徴とする。
【０００９】
また、本発明に係る画像表示システムは、上記撮像装置と、前記画像表示装置と、を有することを特徴とする
【発明の効果】
【００１０】
本発明によれば、画像記憶手段で記憶される全体画像と共に、画像表示装置で表示される一部の領域を示す情報が画像提示手段で表示され、全体画像に対して画像表示装置で表示される一部の領域画像を、直接的に視認性を維持しながら認識することができる。
【図面の簡単な説明】
【００１１】
【図１】（ａ）は第１の参考例に係る撮像装置としてのデジタルカメラ、およびプロジェクタと組み合わせた画像表示システムの説明図、（ｂ）はデジタルカメラの機能ブロック図である。
【図２】第１の参考例に係るデジタルカメラの動作を示すフローチャートである。
【図３】第２の参考例に係る撮像装置としてのデジタルカメラ、およびプロジェクタと組み合わせた画像表示システムの画像サイズの変更（変倍）に関する説明図である。
【図４】第２の参考例に係る撮像装置としてのデジタルカメラ、およびプロジェクタと組み合わせた画像表示システムの画像位置の変更（変位）に関する説明図である。
【００１２】
【図５】第２の参考例に係るデジタルカメラの動作を示すフローチャートである。
【図６】第３の参考例に係る撮像装置としてのデジタルカメラ、およびプロジェクタと組み合わせた画像表示システムの説明図である。
【図７】第３の参考例に係るプロジェクタの動作を示すフローチャートである。
【図８】本発明の実施形態に係る撮像装置としてのデジタルカメラ、およびプロジェクタと組み合わせた画像表示システムに関し、デジタルカメラの動作を示すフローチャートである。
【図９】本発明の実施形態において、表示装置との通信可否に関する説明図である。
【図１０】従来のデジタルカメラの画像再生動作の説明図である。
【発明を実施するための形態】
【００１３】
以下に、第１乃至第３の参考例、本発明の好ましい実施の形態を、添付の図面に基づいて詳細に説明する。
【００１４】
《第１の参考例》
以下、図１（ａ）およびデジタルカメラの機能ブロックを示す図１（ｂ）を参照して、第１の参考例による、デジタルカメラとプロジェクタが接続されたときの画像表示システムの動作について説明する。被写体を撮像する撮像レンズ７０と、その画像が形成されるＣＣＤ等の撮像素子８０と、画像記憶手段９０と、表示制御手段１００を含むデジタルカメラ１２と、プロジェクタ１０は、通信手段（送受信手段）１５を介して相互に接続されている。
【００１５】
デジタルカメラ１２は、画像提示手段としてのモニタの表示画面１３で提示可能な画像情報（画像記憶手段９０で記憶される全体画像データ）を、通信手段１５によって、プロジェクタ１０へ送信する。本参考例では、画像サイズの変更がなされない前提であるため、常にいわば最大画角における画像が撮像される。また、本参考例では、プロジェクタ１０は、プロジェクタで設定中の画面アスペクト（例えば１６：９）に一致するアスペクト比の範囲情報をデジタルカメラ１２へ送信する。
【００１６】
デジタルカメラ１２は、表示制御手段１００により、異なる画面アスペクト（例えば４：３）の画像提示手段の表示画面１３において、プロジェクタで表示する範囲１４を、画像記憶手段９０で記憶される全体画像の視認性を維持するように枠表示する。プロジェクタで表示する範囲１４を表示画面１３において枠表示する他、網かけ等の画像処理を行い、重畳された全体画像の視認性を維持できる表示画像として表示しても良い。なお、枠表示する場合、枠線を実線の他、破線で表示したり、黒線または白線の他、赤色や黄色などの色表示をした枠線を用いても良いし、枠として枠線の替わりに４隅のみを表示するようにしても良い。
【００１７】
デジタルカメラ１２は、範囲１４の範囲情報を通信手段１５により、プロジェクタ１０へ送信し、指示されたプロジェクタ１０は、予め受信している全体画像データに対し、範囲１４で示される画像を切出して投射表示する。
【００１８】
上記のような構成により、デジタルカメラの画像提示手段の表示画面１３において、画像記憶手段９０で記憶される全体画像の視認性を維持して、全体画像範囲に対するプロジェクタの画像表示範囲を表示する。このことで、プロジェクタの表示範囲および表示画像を直接認識できる。
【００１９】
なお、本参考例においては、物理的なケーブル１５による通信を示しているが、無線による通信等、他の通信手段・方法においても本参考例が適用可能であることは言うまでもない。
【００２０】
（デジタルカメラの動作）
図２は、本参考例における、プロジェクタと接続された時のデジタルカメラの動作を示している。ステップＳ２０は画像表示ステップであり、デジタルカメラ内部の記憶手段、或いは外付けの記憶手段に格納された画像データを画像提示手段としての表示画面に表示する。ステップＳ２１は画像送信ステップであり、デジタルカメラで表示中の画像をプロジェクタに送信する。ステップＳ２２は画面アスペクト受信ステップであり、プロジェクタで設定されている画面アスペクトに一致する画像領域情報を受信する。
【００２１】
ステップＳ２３は範囲情報重畳ステップであり、デジタルカメラで表示中の画像に、画面アスペクト受信ステップＳ２２で受信したプロジェクタのアスペクト比に一致するアスペクト比の所定領域を示す範囲情報を重畳して表示する。ステップＳ２４は範囲情報通知ステップであり、ステップＳ２３で表示された範囲情報に基づく範囲をプロジェクタに通知する。プロジェクタは、受信した画像のうち、ステップＳ２４で受信した範囲に一致する領域を切り出して、表示する。
【００２２】
ステップＳ２３で指定される範囲領域を、プロジェクタで設定中の画面アスペクトに一致させているため、プロジェクタでは、被写体の縦横比をプロジェクタ本体の表示形態に保ったまま表示することが可能である。
【００２３】
《第２の参考例》
以下、図３、図４を参照して、本参考例における、デジタルカメラとプロジェクタを備える画像表示システムの動作について説明する。本参考例では、第１の参考例と比較し、プロジェクタにおける画像サイズまたは画像位置が変更可能、即ち変倍または変位が可能である点が異なる。
【００２４】
図３において、３１はプロジェクタで表示される当初の画像範囲を示している。ここで、デジタルカメラにおいて、デジタルズームの拡大操作を行うと、画像提示手段としての表示画面１３における画像は拡大されず、代わりに範囲情報のサイズが、３２のように変化する。ここで、プロジェクタでは、画像範囲３２が表示される。
【００２５】
また図４において、４１はプロジェクタで表示される当初の画像範囲を示している。ここで、デジタルカメラにおいて、上下方向並びに水平方向の変位を十字釦等による方向操作で指示すると、プロジェクタで表示される範囲情報が表示画面１３内を移動する。
移動後の範囲が４２で示され、プロジェクタでは、画像範囲４２が表示される。
【００２６】
このようなデジタルカメラ側の操作により、画像範囲を変更すると、デジタルカメラは、通信手段１５により、画像範囲に係る情報をプロジェクタ１０へ送信する。プロジェクタ１０では、予め受信している全体画像データに対し、送信された画像範囲に係る画像を切り出して投射表示する。
【００２７】
尚、範囲情報の拡大／縮小および移動の指示は、デジタルカメラ側で行う替わりに、通信手段１５を介してプロジェクタ側から行うようにすることもできる。
【００２８】
本参考例によると、デジタルカメラの画像提示手段の表示画面において、全体画像範囲に対するプロジェクタで表示される範囲を任意に変倍（拡大／縮小）または変位させるように指示することが可能である。そして、その都度プロジェクタは指示された範囲（領域）を切り出して投射表示する。このような構成で、デジタルカメラの画像提示手段の表示画面で、表示制御手段１００により、ユーザーは全体画像を視認しながら、プロジェクタで表示される表示範囲を指定し、プロジェクタで表示される表示範囲および表示画像を確認することが可能になる。
【００２９】
（デジタルカメラの動作）
以下、図５を参照して、本参考例における、デジタルカメラの動作について説明する。
本参考例においてデジタルカメラは外部の画像表示装置であるプロジェクタと通信可能
（本参考例では送受信可能）である。図５において、ステップＳ５０は画像表示ステップであり、デジタルカメラ内部、或いは外付けの画像記憶手段９０に格納された最大画角における全体画像データを画像提示手段としての表示画面に表示する。ステップＳ５１は画像送信ステップであり、デジタルカメラで表示中の画像をプロジェクタに送信する。
【００３０】
ステップＳ５２は、範囲情報取得ステップであり、プロジェクタから、プロジェクタで表示される一部画像範囲に係る情報を取得する。ステップＳ５３は、範囲情報重畳ステップであり、デジタルカメラの画像提示手段の表示画面において表示中の画像に、前記範囲情報取得ステップで取得した画像範囲を重畳して表示する。このような構成により、デジタルカメラ側あるいはプロジェクタ側の操作で、画像サイズまたは画像位置を変更して表示する場合に、ステップＳ５３でプロジェクタにおいて表示している領域をデジタルカメラの表示画像に範囲情報として示すことが可能となる。
【００３１】
《第３の参考例》
以下、図６を参照して、デジタルカメラ側より画像サイズまたは画像位置に係る情報をプロジェクタ側へ送信できる本参考例における画像表示システムのプロジェクタの動作について説明する。本参考例においてデジタルカメラは外部の画像表示装置であるプロジェクタと通信可能（本参考例では送受信可能）である。６０はデジタルカメラからプロジェクタに送信される最大画角時の全体画像データ（画像記憶手段９０に記憶）を示している。６１は、デジタルカメラからプロジェクタに通知される画像範囲である。
【００３２】
プロジェクタ１０は、通信手段１５を介して、デジタルカメラから画像データを受信する。さらに、画像サイズ情報６３および、画像位置情報６４を受信する。画像のサイズ情報６３は、全体画像情報を示し、図６の６０で示される全体画像データ領域の左上隅を原点としたとき、水平方向で１４００画素、垂直方向で１０５０画素となる。プロジェクタで表示される範囲情報６４は、左上隅を原点としたときの画像領域の水平方向で左側が３００番目の画素、右側が１１５０番目の画素、上下方向で上側が１５０番目の画素、下側が６５０番目の画素を示す。
【００３３】
プロジェクタ１０は受信した全体画像のうち、６４で示される範囲に一致する領域を切り出し、投射画面１１に表示する。そして、デジタルカメラは、表示制御手段１００により、６４で示されたプロジェクタ表示範囲をデジタルカメラの画像提示手段で全体画像と共に表示する。尚、６３、６４で示した通信方式は一例であり、その意味を失わない範囲で変更が可能である。
【００３４】
（プロジェクタの動作）
以下、図７を参照して本参考例におけるプロジェクタの動作について説明する。Ｓ７０は画像受信ステップであり、通信手段を介してデジタルカメラから最大画角時の全体画像データを受信する。Ｓ７１は画像サイズ情報受信ステップであり、Ｓ７０で取得した画像のサイズを示す情報を取得する。Ｓ７２は画像所定領域選択表示ステップであり、画像受信ステップにより取得した全体画像の所定の領域を選択的に表示する。例えば、プロジェクタの電子ズーム機能などがこれにあてはまる。全体画像を表示している場合も、全体画像を選択的に表示しているものとして、同等に扱うことができる。
【００３５】
Ｓ７３は範囲情報送信ステップであり、ステップＳ７２で選択的に表示した画像範囲を示す情報をデジタルカメラに送信する。デジタルカメラ側では、ステップＳ７３で受信した情報によって、プロジェクタがどの領域を表示しているかを知ることが可能となる。そして、デジタルカメラの画像提示手段の表示画面において、プロジェクタで表示している画像範囲を枠線で、全体画像と共に表示する。
【００３６】
《本発明の実施形態》
以下、図８、図９を参照して、外部の画像表示装置との接続可否を判別する本実施形態の画像表示システムにおけるデジタルカメラの動作について説明する。図８は、デジタルカメラの電子変倍操作が行われたときの、画像に対する動作手順を表している。また、図９は、図８における一連の操作におけるユーザーインターフェースの概略を示している。
【００３７】
図８で、Ｓ８０は電子変倍操作ステップであり、操作者による電子変倍部材の操作を示している。操作者はデジタルカメラと画像表示装置が非接続時に、デジタルカメラの画像提示手段の表示画面において画像の拡大、画像の位置変更を行う部材を操作する。このような操作が行われると、Ｓ８１へと移行する。Ｓ８１は表示装置との通信状態判別ステップであり、デジタルカメラと表示装置が通信可能な状態にあるか否かを判別する。尚、Ｓ８１で判断される通信の形態は問わず、有線によるものでもよいし、無線によるものでもよい。
【００３８】
Ｓ８１で表示装置と通信不可能な状態にあると判別された場合、画像変倍ステップＳ８２へと移行する。Ｓ８２では、Ｓ８０において画像の拡大操作が行われた場合は画像の拡大率を上げ、Ｓ８０において画像の縮小操作が行われた場合は、画像の拡大率を下げる処理を行い、デジタルカメラの表示画面に変倍処理後の画像を表示する。このときのデジタルカメラの表示画面には、図９Ｂに示すように、変倍処理後の画像（拡大操作の場合、拡大画像）が表示される。
【００３９】
Ｓ８１で表示装置と通信可能な状態にあると判別された場合、選択領域範囲変更ステップＳ８３へと移行する。Ｓ８３では、Ｓ８０における操作に応じて、画像表示装置に通知する所定の領域の範囲を、拡大・縮小・移動する。Ｓ８３で変更された所定の選択領域を、操作者に分かるようにするため、Ｓ８４において、デジタルカメラの画像提示手段上で、表示制御手段１００により、全体画像の表示に重ね、プロジェクタ表示範囲を全体画像の視認性を維持して表示する。
【００４０】
即ち、デジタルカメラの画像提示手段の表示画面には、図９Ｃに示すように、最大画角時の全体画像（画像記憶手段９０に記憶）が変倍されずに表示され、プロジェクタ表示範囲１４が全体画像に重ねて表示される。Ｓ８４に続いて、選択領域通知ステップＳ８５へと移行する。Ｓ８５では、前述した操作の結果変更された所定の領域に一致する範囲情報を、画像表示装置へと送信する。範囲情報を受信した画像表示装置では、全体画像のうち、受信した範囲情報にあたる領域を選択的に表示する。画像表示装置であるプロジェクタでは、図９Ｂの電子変倍操作と同様の操作を行うことで、スクリーンヘ選択された一部範囲を拡大して表示できる。
【００４１】
また、デジタルカメラの画像提示手段の表示画面において、全体画像と、画像表示装置で拡大表示されている表示範囲を合わせて確認することが可能となる。
【００４２】
（変形例）
以上、本発明の好ましい実施形態について説明したが、本発明はこれらの実施形態に限定されず、その要旨の範囲内で種々の変形及び変更が可能である。
【００４３】
（変形例１）
例えば、撮像装置としてデジタルカメラを、また画像表示装置としてプロジェクタを例として既述したが、デジタルカメラ以外の撮像装置（例えばビデカメラ）、またプロジェクタ以外の画像表示装置（例えばパソコンのモニタ）でも適用可能である。
【００４４】
（変形例２）
また上述した参考例において、画面アスペクトはプロジェクタとデジタルカメラで異なるものとしたが、同じ場合であっても良い。
（変形例３）
第１の参考例では、ステップ２２でデジタルカメラは外部の画像表示装置であるプロジェクタより画面アスペクトの情報を受信したが、予めデジタルカメラで認識できている場合は、ステップ２２を省略することもできる。
（変形例４）
第３の参考例では、デジタルカメラは外部の画像表示装置であるプロジェクタと送受信可能としたが、送信のみ可能な通信形態とすることもできる。この場合、Ｓ７３でプロジェクタからデジタルカメラへプロジェクタ表示範囲を送信する替わりに、デジタルカメラはＳ７１でプロジェクタへ送信した画像範囲情報を画像提示手段へ通知させることとする。これによっても、画像提示手段において、全体画像と共に、プロジェクタ表示範囲を視認することができる。
【符号の説明】
【００４５】
１０・・プロジェクタ、１２・・デジタルカメラ、１３・・表示画面（画像提示手段）、１５・・通信ケーブル、１００・・表示制御手段
【図１】
0005836671.tif 000002
【図２】
0005836671.tif 000003
【図３】
0005836671.tif 000004
【図４】
0005836671.tif 000005
【図５】
0005836671.tif 000006
【図６】
0005836671.tif 000007
【図７】
0005836671.tif 000008
【図８】
0005836671.tif 000009
【図９】
0005836671.tif 000010
【図１０】
0005836671.tif 000011